(57)【要約】【課題】携帯者の多種多様な生活シーンにおいて確実に着信に気づかせることができるようにする。【解決手段】送受信信号処理回路１４の動作を検出する検出手段７１を設ける。電話やメールの着信を検出した場合、自動的に外部機器制御部３から外部機器へ外部機器制御信号を送る。例えば、カーステレオやテレビなどの外部機器に、音量を下げることを指示する外部機器制御信号を送る。これにより、着信を知らせるサウンダ２３からの鳴音がよく聞こえるようになり、携帯者に着信があることを確実に知らせることができる。また、検出手段７１によって、終話を検出し、外部機器へ外部機器制御信号を送って、外部機器の音量を着信する前の状態に復帰させる。【選択図】        図１
2004187191.tif 000002
【特許請求の範囲】
【請求項１】
着信信号を検出する検出手段と、この検出手段の検出結果に基づいて外部機器を制御する外部機器制御信号を送出する手段とを備えたことを特徴とする携帯型無線通信装置。
【請求項２】
発信信号を検出する検出手段と、この検出手段の検出結果に基づいて外部機器を制御する外部機器制御信号を送出する手段とを備えたことを特徴とする携帯型無線通信装置。
【請求項３】
終話信号を検出する検出手段と、この検出手段の検出結果に基づいて外部機器を制御する外部機器制御信号を送出する手段とを備えたことを特徴とする携帯型無線通信装置。
【請求項４】
音声信号を処理する音声処理回路の動作を検出する検出手段と、この検出手段の検出結果に基づいて外部機器を制御する外部機器制御信号を送出する手段とを備えたことを特徴とする携帯型無線通信装置。
【請求項５】
報知手段を駆動する報知手段駆動回路の動作を検出する検出手段と、この検出手段の検出結果に基づいて外部機器を制御する外部機器制御信号を送出する手段とを備えたことを特徴とする携帯型無線通信装置。
【請求項６】
音声信号を処理する音声処理回路の動作および報知手段を駆動する報知手段駆動回路の動作を検出する検出手段と、この検出手段の検出結果に基づいて外部機器を制御する外部機器制御信号を送出する手段とを備えたことを特徴とする携帯型無線通信装置。
【請求項７】
請求項１〜３の何れか１項に記載された携帯型無線通信装置において、
音声信号を処理する音声処理回路の動作を検出する検出手段と、
この検出手段の検出結果に基づいて外部機器を制御する外部機器制御信号を送出する手段と
を備えたことを特徴とする携帯型無線通信装置。
【請求項８】
請求項１〜３の何れか１項に記載された携帯型無線通信装置において、
報知手段を駆動する報知手段駆動回路の動作を検出する検出手段と、
この検出手段の検出結果に基づいて外部機器を制御する外部機器制御信号を送出する手段と
を備えたことを特徴とする携帯型無線通信装置。
【請求項９】
請求項１〜３の何れか１項に記載された携帯型無線通信装置において、
音声信号を処理する音声処理回路の動作および報知手段を駆動する報知手段駆動回路の動作を検出する検出手段と、
この検出手段の検出結果に基づいて外部機器を制御する外部機器制御信号を送出する手段と
を備えたことを特徴とする携帯型無線通信装置。
【請求項１０】
請求項１〜９の何れか１項に記載された携帯型無線通信装置において、
キー入力操作を検出するキー入力操作検出手段と、
このキー操作検出手段によってキー入力操作が検出された場合、他の検出手段の検出結果に基づいてそのキー入力操作の有効／無効を判断し、有効と判断した場合に外部機器を制御する外部機器制御信号を送出する手段と
を備えたことを特徴とする携帯型無線通信装置。
【発明の詳細な説明】
【０００１】
【発明の属する技術分野】
この発明は、携帯電話機や無線選択呼び出し受信機などの携帯型無線通信装置に関するものである。
【０００２】
【従来の技術】
携帯電話機は、その携帯性から常に携帯者が身につけたり、身近な場所に所持している。この携帯電話機では、ＬＥＤやバイブレータ、サウンダ、表示部などの報知手段を作動させることによって、基地局からの無線電波の着信を知らせている。
最近では、この携帯電話機にリモコン機能を持たせ、テレビなどの外部機器の音量を調整できようにしたものも考えられている（例えば、特許文献１〜４参照）。
なお、出願人は、本明細書に記載した先行技術文献情報で特定される先行技術文献以外には、本発明に関連する先行技術文献を出願時までに発見するには至らなかった。
【０００３】
【特許文献１】
特開２００１−３６６５２号公報（第４頁−５頁、第１図）
【特許文献２】
特開平１０−２７１２２９号公報（第４−６頁、第３図）
【特許文献３】
特開２００１−３５８８０５号公報
【特許文献４】
特開２００２−１０３６０号公報
【０００４】
【発明が解決しようとする課題】
しかしながら、従来の携帯電話機では、たとえば車の中で着信が有った場合にはカーステレオの音に着信音がかき消され、着信に気づかない場合があった。また、家庭においても、テレビやラジオの音にかき消され、着信に気づかない場合があった。
【０００５】
また、サウンダを動作させないようなマナーモードにしている場合も同じであり、着信に気づかない場合があった。なお、マナーモード時にはバイブレータの振動により着信を知らせることが一般的に行われているが、バイブレータの振動を感知するためには、携帯電話機を常に身につけていなければならず、小型薄型になったとはいえ四六時中常に身につけている事は煩わしくあり、特に車の中や家の中では、ある特定の場所に置いておくことが多いことから、結局着信に気づかない場面が発生し易くなっている。
【０００６】
さらに、耳の不自由な携帯者は、携帯電話機の表示画面やＬＥＤの点灯、点滅などによって着信を知り得るのみであり、常に表示画面やＬＥＤを気にしなければならず大変不便であり、着信に気づかない場合が多い。
【０００７】
このように、携帯者の生活シーンは多種多様であり、従来の携帯電話機は報知手段として一般的な共通機能しか持ち合わせていないため、着信に気づかない場合が多いという問題があった。
【０００８】
また、従来の携帯電話機では、テレビなど外部機器の音がうるさいような環境での通話に際しては、外部機器のあるところまで行ってその音量を下げたり、外部機器専用のリモコンを使用してその音量を下げたりしなければならず、非常に煩わしい。同様に、テレビなど外部機器の音がうるさいような環境でのスピーカからの留守番電話伝言の再生やサウンダを使用してのメロディ演奏、マイクから入力された音声のメモリへの録音などに際しても、外部機器のあるところまで行ってその音量を下げたり、外部機器専用のリモコンを使用してその音量を下げたりしなければならず、非常に煩わしい。
【０００９】
なお、最近では、上述したように携帯電話機にリモコン機能を持たせ、外部機器の音量を調整できようにしたものも考えられているが、このリモコン機能を持つ携帯電話機はリモコン機能と電話機能が独立しているため、着信があった場合、リモコンモードに切り替えて外部機器の音量を下げ、その後電話機モードに戻して、電話に出なければならない。また、電話をかける場合、リモコンモードに切り替えて外部機器の音量を下げ、その後電話機モードに戻して、発信操作を行わなければならない。また、相手との通話が終了（終話）した場合には、リモコンモードに切り替えて外部機器の音量を元に戻し、その後電話機モードに戻さなければならない。スピーカからの留守番電話伝言の再生やサウンダを使用してのメロディ演奏、マイクから入力された音声メモリへの録音などに際しても、同様の操作が必要となる。
【００１０】
このように、リモコン機能を持つ携帯電話機では、電話機能とリモコン機能とが独立しているため、リモコンモードへの切り替え操作を携帯者が自らの意志をもって行わなければならず、煩わしさからは開放されない。
【００１１】
本発明はこのような課題を解決するためになされたもので、その目的とするところは、携帯者の多種多様な生活シーンにおいて、確実に着信に気づかせることのできる携帯電話機を提供することにある。
また、外部機器の音がうるさいような環境において、リモコン操作などの煩わしさから開放される携帯電話機を提供することにある。
【００１２】
【課題を解決するための手段】
このような目的を達成するために、第１発明（請求項１に係る発明）は、着信信号を検出する検出手段と、この検出手段の検出結果に基づいて外部機器を制御する外部機器制御信号を送出する手段とを設けたものである。
この発明によれば、電話やメールが着信すると、自動的に外部機器へ外部機器制御信号が送出される。例えば、カーステレオやテレビなどの外部機器に、音量を下げることを指示する外部機器制御信号が送られる。
これにより、着信を知らせるサウンダからの鳴音がよく聞こえるようになり、携帯者に着信があることを確実に知らせることができる。
また、サウンダなどを動作させないマナーモードにしているような場合でも、外部機器の音量が下げられるなどして環境が変化するため、携帯者に着信があることを知らせることができる。
また、電話やメールが着信した場合、テレビの電源をオンとされている場合にはオフ、オフとされている場合にはオンとさせたり、部屋の照明をオフとされている場合にはオン、オンとされている場合にはオフとさせたりするなどすれば、耳の不自由な携帯者に対しても視覚的に分かり易いように着信を知らせることができる。
また、着信時に、相手の声が聞き易いように、また自分の声が相手に明瞭に伝わるように、一々外部機器の音量を下げるという操作を行わなくてもよくなる。
【００１３】
第２発明（請求項２に係る発明）は、発信信号を検出する検出手段と、この検出手段の検出結果に基づいて外部機器を制御する外部機器制御信号を送出する手段とを設けたものである。
この発明によれば、これから発信し通話を行おうとした場合、自動的に外部機器へ外部機器制御信号が送出される。例えば、カーステレオやテレビなどの外部機器に、音量を下げることを指示する外部機器制御信号が送られる。
これにより、発信時に、相手の声が聞き易いように、また自分の声が相手に明瞭に伝わるように、一々外部機器の音量を下げるという操作を行わなくてもよくなる。
【００１４】
第３発明（請求項３に係る発明）は、終話信号を検出する検出手段と、この検出手段の検出結果に基づいて外部機器を制御する外部機器制御信号を送出する手段とを設けたものである。
この発明によれば、相手側が切断したり、自分が切断したりして、通話が終了すると、自動的に外部機器へ外部機器制御信号が送出される。例えば、カーステレオやテレビなどの外部機器に、音量を元に戻すことを指示する外部機器制御信号が送られる。
これにより、通話の終了に際して、一々外部機器の音量を元に戻すという操作を行わなくてもよくなる。
【００１５】
第４発明（請求項４に係る発明）は、音声信号を処理する音声処理回路の動作を検出する検出手段と、この検出手段の検出結果に基づいて外部機器を制御する外部機器制御信号を送出する手段とを設けたものである。
この発明によれば、留守番電話伝言の再生やメモリへの音声録音を行うためにを行うために音声処理回路が動作を開始すると、自動的に外部機器へ外部機器制御信号が送出される。例えば、カーステレオやテレビなどの外部機器に、音量を下げることを指示する外部機器制御信号が送られる。
これにより、留守番電話伝言の再生やメモリへの音声録音を行うような場合、一々外部機器の音量を下げるという操作を行わなくてもよくなる。
【００１６】
第５発明（請求項５に係る発明）は、報知手段を駆動する報知手段駆動回路の動作を検出する検出手段と、この検出手段の検出結果に基づいて外部機器を制御する外部機器制御信号を送出する手段とを設けたものである。
この発明によれば、サウンダなどの報知手段が駆動されると、自動的に外部機器へ外部機器制御信号が送出される。例えば、カーステレオやテレビなどの外部機器に、音量を下げることを指示する外部機器制御信号が送られる。
これにより、サウンダを使用してメロディ演奏を行うような場合、一々外部機器の音量を下げるという操作を行わなくてもよくなる。
【００１７】
第６発明（請求項６に係る発明）は、音声信号を処理する音声処理回路の動作および報知手段を駆動する報知手段駆動回路の動作を検出する検出手段と、この検出手段の検出結果に基づいて外部機器を制御する外部機器制御信号を送出する手段とを設けたものである。この発明によれば、第４発明と第５発明とが組み合わされ、留守番電話伝言の再生やメモリへの音声録音を行ったり、サウンダを使用してメロディ演奏を行うような場合、一々外部機器の音量を下げるという操作を行わなくてもよくなる。
【００１８】
第７発明（請求項７に係る発明）は、第１〜第３の各発明において、音声信号を処理する音声処理回路の動作を検出する検出手段と、この検出手段の検出結果に基づいて外部機器を制御する外部機器制御信号を送出する手段とを設けたものである。この発明によれば、第１〜第３の各発明に第４発明が組み合わされ、第１〜第３の各発明の作用効果に第４発明の作用効果が加えられる。
【００１９】
第８発明（請求項８に係る発明）は、第１〜第３の各発明において、報知手段を駆動する報知手段駆動回路の動作を検出する検出手段と、この検出手段の検出結果に基づいて外部機器を制御する外部機器制御信号を送出する手段とを設けたものである。この発明によれば、第１〜第３の各発明に第５発明が組み合わされ、第１〜第３の各発明の作用効果に第５発明の作用効果が加えられる。
【００２０】
第９発明（請求項９に係る発明）は、音声信号を処理する音声処理回路の動作および報知手段を駆動する報知手段駆動回路の動作を検出する検出手段と、この検出手段の検出結果に基づいて外部機器を制御する外部機器制御信号を送出する手段とを設けたものである。この発明によれば、第１〜第３の各発明に第６発明が組み合わされ、第１〜第３の各発明の作用効果に第６発明の作用効果が加えられる。
【００２１】
第１０発明（請求項１０に係る発明）は、第１〜第９の各発明において、キー入力操作を検出するキー入力操作検出手段と、このキー操作検出手段によってキー入力操作が検出された場合、他の検出手段の検出結果に基づきそのキー入力操作の有効／無効を判断し、有効と判断した場合に外部機器を制御する外部機器制御信号を送出する手段とを設けたものである。
例えば、この発明を第６発明に適用した場合、留守番電話伝言再生やメロディ演奏が行われると、第６発明における検出手段が音声処理回路の動作や報知手段駆動回路の動作を検出する。このような状態において、スピーカからの音声やサウンダからの鳴音の音量調整を行うためにキー入力操作を行うと、そのキー入力操作がキー入力操作検出手段によって検出される。第６発明における検出手段が音声処理回路の動作や報知手段駆動回路の動作を検出していれば、そのキー入力操作が有効であると判断される。この場合、キー入力操作を行って音量を上げたときには外部機器の音量を下げ、キー入力操作を行って音量を下げたときには外部機器の音量を上げるというような外部機器制御信号を送出させるようにすると、スピーカからの音声やサウンダからの鳴音の音量と外部機器の音量とのバランスを調整することができるようになり、スピーカからの音声やサウンダからの鳴音をより明瞭に聞き取れるようにすることが可能となる。
なお、第６発明における検出手段が音声処理回路の動作や報知手段駆動回路の動作を検出していなければ、キー入力操作検出手段がキー入力操作を検出しても、そのキー入力操作は無効とされ、外部機器への外部機器制御信号の送出は行われない。したがって、スピーカはサウンダによる音声出力や鳴音動作を行っていない場合に、キー入力操作が行われても、外部機器に対して外部機器制御信号が送出されることはない。
【００２２】
【発明の実施の形態】
以下、本発明を図面に基づいて詳細に説明する。なお、以下では、携帯型無線通信装置の一例として、デジタル携帯電話機を例にとって説明する。
【００２３】
〔実施の形態１〕
図１は本発明に係る携帯型無線通信装置の一例であるデジタル携帯電話機の一実施の形態（実施の形態１）の構成を示すブロック図である。このデジタル携帯電話機１００は、アンテナ１１、電話部１、報知部２、外部機器制御部３、キー入力回路４、報知手段駆動回路５、制御部６，検出手段７１、メモリ８を備えている。
【００２４】
電話部１は、無線送受信回路１２、復調変調回路１３、送受信信号処理回路１４、音声処理回路１５、スピーカ１５１およびマイク１５２で構成され、デジタル携帯電話機１００の音声通話を行う部分である。また、報知部２は、ＬＥＤ２１、バイブレータ２２、サウンダ２３、表示部２４などの報知手段から構成されている。報知部２は、デジタル携帯電話機１００への着信時には報知動作を行なったり、デジタル携帯電話機１００の状態（電話状態、電池残量）を表示させたり、携帯者に情報を伝える部分である。
【００２５】
外部機器制御部３は、外部機器制御信号出力回路３１、外部機器通信制御回路３２、外部機器制御信号メモリ３３から構成され、着信信号や発信信号，終話信号などを検出する検出手段７１の検出結果に応じて外部機器制御信号を出力する部分である。外部機器通信制御回路３２は、検出手段７１からの検出結果を受けた制御部６からの制御信号により、外部機器制御信号メモリ３３に記憶されている予め携帯者が設定した外部機器の制御情報を読み取り、この制御情報を所定の信号方式に変換し、外部機器制御信号出力回路３１に外部機器制御信号として出力する回路である。図１５に外部機器制御信号メモリ３３に記憶されている外部機器の制御情報の一例を示す。外部機器制御信号出力回路３１は外部機器に対し外部機器制御信号を出力する回路である。
【００２６】
図２はこのデジタル携帯電話機１００の外観およびシステムを示す図であり、２００はデジタル携帯電話システムの基地局であり、デジタル携帯電話機１００はこの基地局２００と無線通信を行う。３００はデジタル携帯電話機１００からの外部機器制御信号を受けてその動作が制御される家庭用や車載用のテレビ、ラジオ、照明、ステレオ、ラジオといった電子機器である。
【００２７】
基地局２００からの電波は、デジタル携帯電話機１００のアンテナ１１を介して受信され、無線送受信回路１２によって所定の周波数に変換、増幅され、復調変調回路１３によって復調される。復調された信号は送受信信号処理回路１４へ与えられ、この送受信信号処理回路１４により所望のデータ信号が抽出され、音声処理回路１５により音声信号として処理され、スピーカ１５１によって音声が出力される。
【００２８】
また、マイク１５２によって入力された音声は音声処理回路１５へ与えられ、この音声処理回路１５により音声信号が生成される。生成された音声信号は、送受信信号処理回路１４により所定のデータ信号に変換され、復調変調回路１３によって変調される。変調された信号は、無線送受信回路１２によって所定の周波数に変換、増幅され、アンテナ１１を介して基地局２００へと送信される。
【００２９】
この他、メール等のデータ通信を行う場合、送受信信号処理回路１４は基地局２００から送信されてきた音声以外のデータ信号を処理し、制御部６によって報知手段駆動回路５を駆動し、データの内容を表示部２４や、サウンダ２３により出力する。同様に、携帯者によってキー入力回路４から入力され作成されたデータは、制御部６および送受信信号処理回路１４によってデータ信号に変換され、基地局２００へと送出される。
【００３０】
制御部６はこれらの信号の送受信動作をプログラムによって制御する。このプログラムはメモリ８に格納されている。メモリ８はキー入力回路４からの入力に応じ、着信の際の報知部２における報知手段の選択や各種の設定情報を記憶することができ、必要に応じて制御部６がメモリ６から設定情報を読み出し、動作を制御する。
【００３１】
報知部２において、ＬＥＤ２１は点灯、あるいは点滅して着信を知らせ、バイブレータ２２は振動して着信を知らせ、サウンダ２３は鳴音して着信を知らせ、表示部２４には着信を知らせる旨の内容が表示される。以後、これら報知手段の動作を報知動作と称する。
【００３２】
報知部２において何れの報知手段を報知動作させるかは携帯者により選択が可能であり、たとえば通常時には全ての報知手段を動作させ、マナーモード時にはサウンダ２３を動作させないような設定も可能である。
キー入力回路４は携帯者によるデジタル携帯電話機１００の操作を行うためのもので、入力に応じて制御部６が動作を制御し、必要に応じて表示部２４に操作状況を表示させる。
【００３３】
検出手段７１は、基地局２００との音声通信、データ通信を行う場合、送受信信号処理回路１４で処理される信号の中からデジタル携帯電話機１００への着信、基地局２００への発信、音声通信の終話などを検出する検出手段である。検出手段７１は、これらの検出結果を制御部６に伝達する。制御部６は、検出手段７１からの検出結果を外部機器制御部３へ送る。外部機器制御部３は、制御部６を介する検出手段７１からの検出結果に応じて外部機器３００への外部機器制御信号を出力する。
【００３４】
外部機器３００は、外部機器制御信号入力回路３０１（図３参照）と制御回路３０２を本体機器内に具備しており、デジタル携帯電話機１００からの外部機器制御信号は外部機器制御信号入力回路３０１に入力され、制御回路３０２によって外部機器制御信号中のデータから本体機器の制御情報を取得し、それに従った本体機器の動作を行う。
【００３５】
図４は外部機器制御信号出力回路３１から外部機器制御信号入力回路３０１へ外部機器制御信号を送出する際の媒体を例示する図である。外部機器制御信号を送信する媒体として、一般的な赤外線通信手段、または無線通信手段を用いることができる。
【００３６】
無線通信手段で構成する場合には、図４（ａ）に示すように、外部機器制御信号出力回路３１を所定の無線信号を発信する無線部３１ａを持つ回路として構成し、外部機器制御信号入力回路３０１は所定の無線信号を受信する無線部３０１ａを持つ回路として構成する。近年、外部機器とのインターフェース通信技術としてブルートゥースなどが利用されている。
【００３７】
また、赤外線通信手段で構成する場合には、図４（ｂ）に示すように、外部機器制御信号出力回路３１を所定の信号パルスを赤外線信号として送出する発光部３１ｂを持つ回路として構成し、外部機器制御信号入力回路３０１を赤外線信号を受光する受光部３０１ｂを持つ回路として構成する。この赤外線通信の技術は家庭用電子機器のリモコンとして広く知られている。
【００３８】
図４では、外部機器制御信号出力回路３１は出力専用に、外部機器制御信号入力回路３０１は入力専用にしてあるが、それぞれ入出力回路として双方向通信を行うように構成してもよい。
【００３９】
〔動作例１：着信時〕
図５はこのデジタル携帯電話機１００の着信時の動作の一例を示すフローチャートである。
制御部６は、既知の間欠受信動作により着信を待ち受けている。（ステップ５０１）。着信があった場合（ステップ５０１のＹＥＳ）、制御部６はメモリ８に記憶されている情報を読み出し、予め設定されている報知手段で報知動作を開始させるとともに（例えば、サウンダ２３による鳴音やＬＥＤ２１による光の点灯、点滅動作）、外部機器制御部３から外部機器制御信号を送出させる（ステップ５０２）。
【００４０】
ここで、外部機器３００がカーステレオであるものとした場合、車中でカーステレオを大音量で鳴らしている場合には着信に気づかないことがある。本実施の形態では、デジタル携帯電話機１００に着信があった場合には、サウンダ２３による鳴音やＬＥＤ２１による光の点灯、点滅動作と共に、外部機器制御部３からカーステレオの音量を低くすることを指示する外部機器制御信号を送出させる。
【００４１】
これにより、カーステレオの音量が下げられ、デジタル携帯電話機１００ら発せられている鳴音を聞き易くすることができ、着信を確実に知らせることができる。なお、外部機器制御部３からの外部機器制御信号に関する情報は携帯者が外部機器制御信号メモリ３２に予め設定することができるものであり、音量ミュートや電源オフを設定していれば、設定内容に従った外部機器制御信号が送出される。
【００４２】
制御部６は、報知動作を行っている間、着信相手からの切断がないかを監視する（ステップ５０３）。切断があった場合（ステップ５０３のＹＥＳ）、報知動作を停止し（ステップ５０４）、外部機器制御部３から着信時に送出したものとは別の外部機器制御信号を送出する（ステップ５０９）。この場合、カーステレオの音量を元の状態に復帰させることを指示する信号等、ステップ５０２と同様に携帯者が外部機器制御信号メモリ３３に予め設定しておいた信号を送出させる。
【００４３】
また、制御部６は、報知動作を行っている間、携帯者による応答操作（オフフック操作）を監視する（ステップ５０５）。ここで、携帯者によってオフフック操作が行われた場合には（ステップ５０５のＹＥＳ）、報知動作を停止し、着信相手との通話を開始する。（ステップ５０６）。携帯者によるオフフック操作がない場合には（ステップ１０５のＮＯ）、ステップ５０３へ戻り、以降の動作を繰り返す。
【００４４】
制御部６は、通話が開始されると、着信相手からの切断あるいは携帯者による切断操作（オンフック操作）があるかを監視し（ステップ５０７）、切断があった場合（ステップ５０７のＹＥＳ）には通話を終了し（ステップ５０８）、カーステレオの音量を元の状態に復帰させることを指示する信号など、予め設定されている外部機器制御信号を外部機器制御部３１より送出される（ステップ５０９）。
【００４５】
なお、この例では、外部機器３００をカーステレオとし、車中でカーステレオを大音量で鳴らしている場合を例にとって説明したが、サウンダ２３を動作させないなどのマナーモードにしているような場合でも、外部機器３００の音量が下げられる（逆に、音量を上げるようにしてもよい）などして環境が変化するので、携帯者に着信があることを知らせることができる。
【００４６】
また、外部機器３００をテレビや部屋の照明とし、着信を検出した場合、テレビの電源をオンとされている場合にはオフ、オフとされている場合にはオンとしたり、照明をオフとされている場合にはオン、オンとされている場合にはオフとしたりするなどしてもよく、このようにすることによって耳の不自由な携帯者に対しても視覚的に分かり易いように着信を知らせることができる。
【００４７】
また、着信時に、相手の声が聞き易いように、また自分の声が相手に明瞭に伝わるように、一々外部機器３００の音量を下げるという操作を行わなくてもよくなる。すなわち、リモコン機能を持った従来の携帯電話機では、着信時にリモコンモードに一々状態遷移させなければならず操作が面倒であったが、この実施の形態では、着信時には自動的に外部機器３００の音量が下げられるので、面倒なリモコン操作から開放される。
【００４８】
〔動作例２：発信時〕
図６はデジタル携帯電話機１００の発信時の動作の一例を示すフローチャートである。
制御部６は携帯者による発信操作があるかを監視している（ステップ６０１）。発信操作が行われた場合（ステップ６０１のＹＥＳ）、制御部６は発信動作を開始し、外部機器制御部３から外部機器制御信号を送出する（ステップ６０２）。
【００４９】
ここで、外部機器３００がカーステレオであるものとした場合、車中でカーステレオを大音量で鳴らしている場合には、これから発信し通話を行おうとした場合に、相手側の声が聞こえにくかったり、自分の声が相手に明瞭に伝わらなかったりすることがある。
【００５０】
本実施の形態では、デジタル携帯電話機１００から発信する場合、外部機器制御部３からカーステレオの音量を低くすることを指示する外部機器制御信号を送出させる。これにより、カーステレオの音量が下げられ、デジタル携帯電話機１００での通話を聞き易くすると共に、相手への携帯者の声を明瞭に伝えることができる。
【００５１】
リモコン機能を持った従来の携帯電話機では、発信時にリモコンモードに一々状態遷移させなければならず操作が面倒であったが、この実施の形態によれば、発信ボタンを押すだけで外部機器３００の音量を下げることが可能となり、面倒なリモコン操作から開放される。
【００５２】
なお、外部機器制御部３からの外部機器制御信号に関する情報は携帯者が外部機器制御信号メモリ３３に予め設定することができるものであり、音量ミュートや電源オフの信号を設定していれば、設定内容に従った外部機器制御信号を送出する。
【００５３】
制御部６は、ステップ６０２に続くステップ６０３において、基地局２００からの情報により相手機が切断するか、話中であるか、圏外であるかを検出する。また、携帯者が自ら発信を中止させたか否かを検出する。相手機が切断したり、通話中であったり、圏外であったりして、相手機との通話ができない場合、あるいは携帯者が自ら発信を中止させる入力操作をおこなった場合（ステップ６０３のＹＥＳ）、制御部６は発信動作を中止し（ステップ６０４）、外部機器制御部３から発信時に送出したものとは別の外部機器制御信号を送出させる（ステップ６０９）。この場合、カーステレオの音量を元の状態に復帰させることを指示する信号等、ステップ６０２と同様に携帯者が外部機器制御信号メモリ３３に予め設定しておいた外部機器制御信号を外部機器制御部３より送出させる。
【００５４】
発信先相手が応答しない場合（ステップ６０５のＮＯ）、制御部６はステップ６０３へ戻り、以降の動作を繰り返す。
発信先の相手が応答した場合（ステップ６０５のＹＥＳ）、制御部６は発信先相手との通話を開始させる（ステップ６０６）。
【００５５】
制御部６は、発信先の相手からの切断あるいは携帯者による切断操作があるかを監視する（ステップ６０７）。切断があった場合（ステップ６０７のＹＥＳ）には通話を終了し（ステップ６０８）、カーステレオの音量を元の状態に復帰させることを指示する信号等、予め設定されている外部機器制御信号を外部機器制御部３より送出させる。
【００５６】
リモコン機能を持った従来の携帯電話機では、終話時にリモコンモードに一々状態遷移させなければならず操作が面倒であったが、この実施の形態によれば、終話時に自動的に外部機器３００の音量が元の状態に復帰されるものとなり、面倒なリモコン操作から開放される。
【００５７】
〔動作例３：メール着信時〕
図７はデジタル携帯電話機１００のメール着信時の動作の一例を示すフローチャートである。
制御部６は、既知の間欠受信動作によりメールの着信を待ち受けている（ステップ７０１）。メールの着信があった場合（ステップ７０１のＹＥＳ）、制御部６はメモリ８に記憶されている情報を読み出し、予め設定されている報知手段で報知動作を開始すると共に（例えば、サウンダ３３による鳴音やＬＥＤ２１による光の点灯、点滅動作）、外部機器制御部３から外部機器制御信号を送出させる（ステップ７０２）。
【００５８】
ここで、外部機器３００がテレビであるものとした場合、部屋の中でテレビを大音量で鳴らしている場合には、メールの着信に気づかないことがある。本実施の形態では、メールの着信があった場合、サウンダ２３による鳴音やＬＥＤ２１による光の点灯、点滅動作と共に、外部機器制御部３からテレビの音量を低くすることを指示する外部機器制御信号を送出させる。
【００５９】
これにより、テレビの音量が下げられ、デジタル携帯電話機１００から発せられている鳴音を聞き易くすることができ、メールの着信を確実に知らせることができる。なお、外部機器制御部３からの外部機器制御信号に関する情報は携帯者が外部機器制御信号メモリ３３に予め設定することができるものであり、音量ミュートや電源オフを設定していれば、設定内容に従った外部機器制御信号が送出される。
【００６０】
制御部６は、報知動作を行っている間、携帯者による報知動作停止入力操作があるかを監視する（ステップ７０３）。携帯者による報知動作の停止入力操作があった場合（ステップ７０３のＹＥＳ）、報知動作を停止し（ステップ７０４）、外部機器制御部３からメール着信時に送出したものとは別の外部機器制御信号を送出させる（ステップ７０６）。この場合、テレビの音量を元の状態に復帰させることを指示する信号等、ステップ７０２と同様に携帯者が外部機器制御信号メモリ３３に予め設定しておいた外部機器制御信号を送出させる。
【００６１】
また、制御部６は、報知動作を行っている間、報知動作の自動終了を監視する（ステップ７０５）。報知動作が自動終了となった場合（ステップ７０５のＹＥＳ）、制御部６はテレビの音量を元の状態に復帰させることを指示する信号等、予め設定されている外部機器制御信号を外部機器制御部３より送出させる（ステップ７０６）。
【００６２】
報知動作の自動終了に至っていない場合には（ステップ７０５のＮＯ）、ステップ７０３へ戻り、携帯者による報知動作停止の操作があるか、自動終了となるまで、ステップ７０３，ステップ７０５を繰り返す。
【００６３】
なお、図１においては、検出手段７１を送受信信号処理回路１４と制御部６との間に接続したが、図８に示すように、送受信信号処理回路１４と外部機器通信制御回路３２との間に検出手段７１と同様の検出手段７２を接続するようにしてもよい。
【００６４】
図８のような構成とした場合、検出手段７２が送受信信号処理回路１４と外部機器通信制御回路３２との間に接続されているため、検出手段７２での検出結果が外部機器通信制御回路３２に直接送られるものとなる。この場合、制御部６を通さないため、回路の構成や制御が簡単になる。
【００６５】
〔実施の形態２〕
図９は本発明に係る携帯型無線通信装置の一例であるデジタル携帯電話機の他の実施の形態（実施の形態２）の構成を示すブロック図である。
図１に示したデジタル携帯電話機１００では、検出手段７１により送受信信号処理回路１４を監視し、着信や発信、終話などの検出結果を制御部６へ与えるようにしたが、この実施の形態２のデジタル携帯電話機１００Ａでは、検出手段７３により音声処理回路１５と報知手段駆動回路５の動作を監視し、これら回路の動作開始・動作停止などの検出結果を外部機器通信制御回路３２に直接与えるようにしている。
【００６６】
〔動作例：メロディ演奏時、留守番電話伝言再生時〕
図１０はこのデジタル携帯電話機１００Ａのメロディ演奏や留守番電話伝言を再生しようとしたときの動作の一例を示すフローチャートである。
【００６７】
携帯者が家でテレビを見ていたり、車内でカーステレオを聴いていたりしており、その騒音の中でデジタル携帯電話機１００Ａのメロディを演奏させたり、デジタル携帯電話機１００Ａのメモリ８に記憶された不在時の留守番電話伝言を聞こうとしたとき、周囲の騒音により明瞭に聞こえない場合がある。本実施の形態のデジタル携帯電話機１００Ａでは、図１０に示す処理により、この問題を解決する。
【００６８】
検出手段７３は、音声処理回路１５および報知手段駆動回路５の動作を監視している（ステップ１００１）。検出手段７３は、音声処理回路１５または報知手段駆動回路５のいずれかあるいは両方が動作を開始したことを検出すると（ステップ１００１のＹＥＳ）、その検出結果を外部機器通信制御回路３２に送出する。例えば、携帯者によるメロディ演奏操作によって報知手段駆動回路５の動作が開始されると、また留守番電話伝言を聞こうとして音声処理回路１５の動作が開始されると、検出手段７３はその検出結果を外部機器通信制御回路３２に送出する。
【００６９】
外部機器通信制御回路３２は、この検出手段７３からの検出結果を受けて、予め設定されている外部機器の制御情報を外部機器制御信号メモリ３３から読み出し、所定の信号方式に変換し、外部機器制御信号として外部機器制御信号出力回路３１へ出力する。外部機器制御信号出力回路３１は、外部機器通信制御回路３２からの外部機器制御信号を出力し（ステップ１００２）、テレビやカーステレオ等の外部機器３００の音量を下げる。
【００７０】
検出手段７３は、音声処理回路１５と報知手段駆動回路５を監視し続け（ステップ１００３）、携帯者によるメロディ演奏中止操作が行われたり、留守番電話伝言再生操作が終了し、音声処理回路１５または報知手段駆動回路５のいずれかあるいは両方の動作が停止したことを検出すると（ステップ１００３のＹＥＳ）と、その検出結果を外部機器通信制御回路３２に送出する。
【００７１】
外部機器通信制御回路３２は、この検出手段７３からの検出結果を受けて、予め設定されている音声処理回路１５や報知手段駆動回路５の動作開始時とは別の外部機器の制御情報を外部機器制御信号メモリ３３から読み出し、所定の信号方式に変換し、外部機器制御信号として外部機器制御信号出力回路３１へ出力する。外部機器制御信号出力回路３１は、外部機器通信制御回路３２からの外部機器制御信号を出力し（ステップ１００４）、テレビやカーステレオ等の外部機器３００の音量を元の状態に復帰させる。
【００７２】
ステップ１００２とステップ１００４で出力する外部機器制御信号に関する情報（外部機器の制御情報）は携帯者が外部機器３００に応じて予め選択・設定して、外部機器制御信号メモリ３３に設定することができるものであり、音声ミュートや電源オフを設定していれば、設定内容にしたがった外部機器制御信号が送出される。
【００７３】
なお、上述においては、音声処理回路１５の動作時として留守番電話伝言再生時について説明したが、マイク１５２からの音声をメモリ８に記録する場合にも音声処理回路１５が動作する。この場合、すなわちメモリ８への音声録音の場合にも、これを検出手段７４が検出するので、留守番電話伝言再生時と同様にして外部機器３００の音量が下げられる。
【００７４】
〔実施の形態３〕
図１１は本発明に係る携帯型無線通信装置の一例であるデジタル携帯電話機の別の実施の形態（実施の形態３）の構成を示すブロック図である。
図１に示したデジタル携帯電話機１００では、検出手段７１により送受信信号処理回路１４を監視し、着信や発信、終話などの検出結果を制御部６へ与えるようにしたが、この実施の形態３のデジタル携帯電話機１００Ｂにおいては、検出手段７４により送受信信号処理回路１４と音声処理回路１５と報知手段駆動回路５の動作を監視し、着信や発信，終話などの検出結果の他、音声処理回路１５や報知手段駆動回路５の動作開始・動作停止などの検出結果についても外部機器通信制御回路３２に直接与えるようにしている。
【００７５】
なお、図１１では、１つの検出手段７４で送受信信号処理回路１４と音声処理回路１５と報知手段駆動回路５の動作を監視するようにしているが、この場合、検出手段７４には送受信信号処理回路１４の動作を検出する手段、音声処理回路１５の動作を検出する手段、報知手段駆動回路５の動作を検出する手段が複合して存在するものと考えてよい。
【００７６】
さらに、この実施の形態３では、ボイス検索回路９を設けている。ボイス検索回路９は、携帯者からの音声入力に対し、音をテキストデータに変換し、テキストデータをもとにたとえばメモリ８に記憶されている電話帳データ等を参照するときに、テキストデータを照合し、所望のデータを検索することができる回路である。ボイス検索回路９には公知の音声認識技術が採用されている。
【００７７】
〔動作例：ボイス検索時〕
図１２はこのデジタル携帯電話機１００Ｂの音声でボイス検索を行うときの動作の一例を示すフローチャートである。
携帯者が家でテレビを見ていたり、車内でカーステレオを聴いていたりしており、その騒音の中でデジタル携帯電話機１００Ｂに対し、ボイス検索を行おうとした場合に、周囲の騒音によりボイス検索機能が正常に動作しない場合がある。図１１に示したデジタル携帯電話機１００Ｂでは、図１２に示す処理により、この問題を解決する。
【００７８】
携帯者によるボイス検索操作が行われると、制御部６は音声処理回路１５を動作させ、マイク１５２からの音声入力を待つ。また、表示部２４に検索の情報を表示させるために、報知手段駆動回路５を動作させる。このとき、検出手段７４は、送受信信号処理回路１４、音声処理回路１５および報知手段駆動回路５の動作を監視している。検出回路７４は、音声処理回路１５および報知手段駆動回路５の動作が開始されたことを検出すると（ステップ１２０１のＹＥＳ）、その検出結果を外部機器通信制御回路３２に送出する。
【００７９】
外部機器通信制御回路３２は、この検出手段７４からの検出結果を受けて、予め設定されている外部機器の制御情報を外部機器制御信号メモリ３３から読み出し、所定の信号方式に変換し、外部機器制御信号として外部機器制御信号出力回路３１へ出力する。外部機器制御信号出力回路３１は、外部機器通信制御回路３２からの外部機器制御信号を出力し（ステップ１２０２）、テレビやカーステレオ等の外部機器３００の音量を下げる。
【００８０】
検出回路７４は、送受信信号処理回路１４、音声処理回路１５および報知手段駆動回路５の監視を続ける。制御部６は、携帯者によるボイス検索が終わった場合、音声処理回路１５および報知手段駆動回路５の動作を停止させる。このとき、検出手段７４は、音声処理回路１５と報知手段駆動回路５の動作が停止したことを検出し（ステップ１２０３のＹＥＳ）、その検出結果を外部機器通信制御回路３２に送出する。
【００８１】
外部機器通信制御回路３２は、この検出手段７４からの検出結果を受けて、予め設定されている音声処理回路１５や報知手段駆動回路５の動作開始時とは別の外部機器の制御情報を外部機器制御信号メモリ３３から読み出し、所定の信号方式に変換し、外部機器制御信号として外部機器制御信号出力回路３１へ出力する。外部機器制御信号出力回路３１は、外部機器通信制御回路３２からの外部機器制御信号を出力し（ステップ１２０４）、テレビやカーステレオ等の外部機器３００の音量を元の状態に復帰させる。
【００８２】
携帯者がボイス検索後、そのまま検索結果の相手に対して発信操作を行いたい場合、制御部６は送受信信号処理回路１４を動作させる。この場合、検出手段７４は送受信信号処理回路１４の動作を検出するため（ステップ１２０５のＹＥＳ）、図６に示したステップ６０２へと進み、以降この図６のフローチャートに従って動作する。
【００８３】
〔実施の形態４〕
図１３は本発明に係る携帯型無線通信装置の一例であるデジタル携帯電話機のさらに別の実施の形態（実施の形態４）の構成を示すブロック図である。
この実施の形態４のデジタル携帯電話機１００Ｃでは、図９に示した実施の形態２のデジタル携帯電話機１００Ａにおける検出手段（第１の検出手段）７３とは別に第２の検出手段７５を設け、この第２の検出手段７５によりキー入力回路４の動作を検出し、その検出結果を外部機器通信制御回路３２に与えるようにしている。
【００８４】
このように構成することで、たとえばメロディ演奏や留守番電話伝言が聞きづらいような場合、キー入力回路４でスピーカの音量を上げる操作を行うことにより、テレビやカーステレオなどの外部機器３００に対して音量を下げ、キー入力回路４でスピーカの音量を下げる操作を行うことにより、テレビやカーステレオなどの外部機器３００に対して音量を上げるというような指示を出し、スピーカ１５１からの音声やサウンダ２３からの鳴音の音量と外部機器３００の音量とのバランスを調整し、スピーカ１５１からの音声やサウンダ２３からの鳴音をより明瞭に聞き取れるようにすることが可能となる。
【００８５】
〔動作例：メロディ演奏時、留守番電話伝言再生時〕
図１４はこのデジタル携帯電話機１００Ｃのメロディ演奏時や留守番電話伝言再生時にキー入力操作があったときの動作の一例を示すフローチャートである。
今、携帯者が家でテレビを見ていたり、車内でカーステレオを聴いていたりしており、その騒音の中でデジタル携帯電話機１００Ｃでスピーカ１５１やサウンダ２３による音声出力（留守番電話伝言再生）や鳴音動作（メロディ演奏）を行っているものとする。
【００８６】
この場合、第１の検出手段７３が音声処理回路１５と報知手段駆動回路５の何れかあるいは両方の動作を検出しているので（ステップ１４０１のＹＥＳ）、外部機器３００へ音量を下げることを指示する外部機器制御信号が送出される。このような状態で、第２の検出手段７５が携帯者によるキー入力回路４の操作（キー入力操作）を検出すると（ステップ１４０２のＹＥＳ）、その検出結果が外部機器通信制御回路３２に送出される。
【００８７】
外部機器通信制御回路３２は、第１の検出手段７３が音声処理回路１５と報知手段駆動回路５の何れかあるいは両方の動作を検出している場合に、第２の検出手段７５からキー入力操作の検出結果が送られてくると、そのキー入力操作を有効と判断し、予め設定されている外部機器の制御情報を外部機器制御信号メモリ３３から読み出し、所定の信号方式に変換し、外部機器制御信号として外部機器制御信号出力回路３１へ出力する。外部機器制御信号出力回路３１は、外部機器通信制御回路３２からの外部機器制御信号を外部機器３００へ出力する（ステップ１４０３）。
【００８８】
このとき、本実施の形態では、キー入力操作によりスピーカ１５１やサウンダ２３の音量が上げられたときには、テレビやカーステレオなどの外部機器３００の音量を下げるように指示する外部機器制御信号を出力し、キー入力操作によりスピーカ１５１やサウンダ２３の音量が下げられたときには、テレビやカーステレオなどの外部機器３００の音量を上げるように指示する外部機器制御信号を出力する。これにより、スピーカ１５１からの音声やサウンダ２３からの鳴音の音量と外部機器３００の音量とのバランスを調整し、スピーカ１５１からの音声やサウンダ２３からの鳴音をより明瞭に聞き取れるようにすることができるようになる。
【００８９】
また、この実施の形態４では、第１の検出手段７３と第２の検出手段７５の２つの検出手段を持つことによって、第１の検出手段７３によって音声処理回路１５や報知手段駆動回路５の動作が検出されていない場合には、第２の検出手段７５がキー入力操作を検出してもこれを外部機器通信制御回路３２が無効と判断するため、外部機器３００への外部機器制御信号は送出されない。例えば、デジタル携帯電話機１００Ｃでスピーカ１５１やサウンダ２３による音声出力や鳴音動作を行っていない場合に、キー入力操作が行われても、外部機器３００に対して外部機器制御信号が送出されず、誤ってキー入力操作を行った場合にも外部機器３００に対し、何ら影響を与えない。
【００９０】
なお、この実施の形態４では、キー入力操作を検出手段７５により検出することで、音声処理回路１５や報知手段駆動回路５の動作中の外部機器３００の音量を調整するようにしたが、第４の実施の形態（図１３）と第１の実施の形態（図１）とを組み合わせることで（図１６参照）、検出手段７３が音声処理回路１５や報知手段駆動回路５の動作を検出している場合だけではなく、検出手段７１が検出する着信および発信動作から通話、終話動作までの間にキー入力回路４の操作が検出手段７５によって検出された場合にも、外部機器３００の音量を調整するようにしてもよい。
【００９１】
また、上述した実施の形態では、携帯型無線通信装置として送受信が可能なデジタル携帯電話機を例にとって説明したが、受信機能しか持たない無線選択呼び出し受信機などにもその着信時や終話時に同様にして適用することが可能である。
【００９２】
【発明の効果】
以上説明したことから明らかなように本発明によれば、着信信号を検出する検出手段と、この検出手段の検出結果に基づいて外部機器を制御する外部機器制御信号を送出する手段とを設けたことにより、携電話やメールが着信した場合に自動的に外部機器制御信号を外部機器に送り、携帯者の多種多様な生活シーンにおいて、確実に着信に気づかせることができるようになる。
例えば、カーステレオやテレビなどの外部機器に外部機器制御信号を送って、外部機器の音量を下げることが可能となり、着信を知らせるサウンダからの鳴音をよく聞こえるようにして、携帯者に着信があることを確実に知らせることができるようになる。
また、サウンダやＬＥＤなどを動作させないマナーモードにしているような場合でも、外部機器の音量が下げられるなどして環境が変化するため、携帯者に着信があることを知らせることができるようになる。
また、電話やメールが着信した場合、テレビの電源をオンとされている場合にはオフ、オフとされている場合にはオンとさせたり、部屋の照明をオフとされている場合にはオン、オンとされている場合にはオフとさせたりするなどして、耳の不自由な携帯者に対しても視覚的に分かり易いように着信を知らせることが可能となる。
また、着信時に、相手の声が聞き易いように、また自分の声が相手に明瞭に伝わるように、一々外部機器の音量を下げるという操作を行わなくてもよくなり、リモコン操作などの煩わしい操作から開放される。
【００９３】
また、本発明によれば、発信信号を検出する検出手段と、この検出手段の検出結果に基づいて外部機器を制御する外部機器制御信号を送出する手段とを設けたことにより、外部機器の音がうるさいような環境において、発信ボタンを押すだけで外部機器の音量を下げることが可能となり、リモコン操作などの煩わしい操作から開放される。
また、本発明によれば、終話信号を検出する検出手段と、この検出手段の検出結果に基づいて外部機器を制御する外部機器制御信号を送出する手段とを設けたことにより、通話を終了すると自動的に外部機器の音量を元に戻すことが可能となり、リモコン操作などの煩わしい操作から開放される。
また、本発明によれば、音声信号を処理する音声処理回路の動作を検出する検出手段と、この検出手段の検出結果に基づいて外部機器を制御する外部機器制御信号を送出する手段とを設けたことにより、留守番電話伝言の再生やメモリへの音声録音の開始時などに自動的に外部機器の音量を下げることが可能となり、リモコン操作などの煩わしい操作から開放される。
また、本発明によれば、報知手段を駆動する報知手段駆動回路の動作を検出する検出手段と、この検出手段の検出結果に基づいて外部機器を制御する外部機器制御信号を送出する手段とを設けたことにより、メロディ演奏の開始時などに自動的に外部機器の音量を下げることが可能となり、リモコン操作などの煩わしい操作から開放される。
【００９４】
また、本発明によれば、キー入力操作を検出するキー入力操作検出手段と、このキー操作検出手段によってキー入力操作が検出された場合、他の検出手段の検出結果に基づきそのキー入力操作の有効／無効を判断し、有効と判断した場合に外部機器を制御する外部機器制御信号を送出する手段とを設けたことにより、キー入力操作を行ってスピーカからの音声やサウンダからの鳴音の音量を上げたときには外部機器の音量を下げ、キー入力操作を行ってスピーカからの音声やサウンダからの鳴音の音量を下げたときには外部機器の音量を上げるというような制御を行わせて、スピーカからの音声やサウンダからの鳴音の音量と外部機器の音量とのバランスを調整し、スピーカからの音声やサウンダからの鳴音をより明瞭に聞き取れるようにすることが可能となる。
【図面の簡単な説明】
【図１】本発明に係る携帯型無線通信装置の一例であるデジタル携帯電話機の一実施の形態（実施の形態１）の構成を示すブロック図である。
【図２】このデジタル携帯電話機の外観および基地局と外部機器とを合わせたシステムを示す図である。
【図３】このデジタル携帯電話機の外部機器制御信号出力回路から外部機器の外部機器制御信号入力回路への外部機器制御信号の出力状況を示す図である。
【図４】外部機器制御信号出力回路から外部機器制御信号入力回路へ外部機器制御信号を送信する際の媒体を例示する図である。
【図５】このデジタル携帯電話機の着信時の動作の一例を示すフローチャートである。
【図６】このデジタル携帯電話機の発信時の動作の一例を示すフローチャートである。
【図７】このデジタル携帯電話機のメール着信時の動作の一例を示すフローチャートである。
【図８】送受信信号処理回路と外部機器通信制御回路との間に検出手段を接続した例を示す図である。
【図９】本発明に係る携帯型無線通信装置の一例であるデジタル携帯電話機の他の実施の形態（実施の形態２）の構成を示すブロック図である。
【図１０】このデジタル携帯電話機のメロディ演奏や留守番電話伝言を再生しようとしたときの動作の一例を示すフローチャートである。
【図１１】本発明に係る携帯型無線通信装置の一例であるデジタル携帯電話機の別の実施の形態（実施の形態３）の構成を示すブロック図である。
【図１２】このデジタル携帯電話機の音声でボイス検索を行うときの動作の一例を示すフローチャートである。
【図１３】本発明に係る携帯型無線通信装置の一例であるデジタル携帯電話機のさらに別の実施の形態（実施の形態４）の構成を示すブロック図である。
【図１４】このデジタル携帯電話機メロディ演奏時や留守番電話伝言再生時にキー入力操作があったときの動作の一例を示すフローチャートである。
【図１５】外部機器制御信号メモリに記憶されている外部機器の制御情報の一例を示す図である。
【図１６】第４の実施の形態と第１の実施の形態とを組み合わせがデジタル携帯電話機の構成を示すブロック図である。
【符号の説明】
１００，１００Ａ，１００Ｂ，１００Ｃ，１００Ｄ…デジタル携帯電話機、２００…基地局、３００…外部機器、１…電話部、２…報知部、３…外部機器制御部、４…キー入力回路、５…報知手段駆動回路、６…制御部、８…メモリ、９…ボイス検索回路、１１…アンテナ、１２…無線送受信回路、１３…復調変調回路、１４…送受信信号処理回路、１５…音声処理回路、２１…ＬＥＤ、２２…バイブレータ、２３…サウンダ、２４…表示部、３１…外部機器制御信号出力回路、３１ａ…無線部（送信）、３１ｂ…発光部、３２…外部機器通信制御回路、３３…外部機器制御信号メモリ、７１，７２，７３，７４，７５…検出手段、１５１…スピーカ、１５２…マイク、２００…基地局、３００…外部機器、３０１…外部機器制御信号入力回路、３０１ａ…無線部（受信）、３０１ｂ…受光部、３０２…制御回路。
【図１】
2004187191.tif 000003
【図２】
2004187191.tif 000004
【図３】
2004187191.tif 000005
【図４】
2004187191.tif 000006
【図５】
2004187191.tif 000007
【図６】
2004187191.tif 000008
【図７】
2004187191.tif 000009
【図８】
2004187191.tif 000010
【図９】
2004187191.tif 000011
【図１０】
2004187191.tif 000012
【図１１】
2004187191.tif 000013
【図１２】
2004187191.tif 000014
【図１３】
2004187191.tif 000015
【図１４】
2004187191.tif 000016
【図１５】
2004187191.tif 000017
【図１６】
2004187191.tif 000018